(57)【要約】      （修正有）【課題】顧客が作成したデザインが印刷された紙製円筒状容器を１個からでも販売できるようにする。【解決手段】ネットワークを介して顧客の端末と生産工場の装置とに接続されるサーバであって、前記端末にてデザインを作成させ、作成されたデザインのデータを前記端末から受ける手段と、前記端末にて商品を注文させ、注文書のデータを前記端末から受ける手段と、作成されたデザインのデータから印刷用データを作成する手段と、印刷用データと注文書のデータとを前記装置に送る手段とを備え、印刷用データと注文書のデータとは、作成されたデザインが印刷された紙製円筒状容器を有する商品を製造して配送するのに利用されることを特徴とする紙製円筒状容器販売サーバ。【選択図】図１
2008234417.tif 000002
【特許請求の範囲】
【請求項１】
ネットワークを介して顧客の端末と生産工場の装置とに接続されるサーバであって、
前記端末にてデザインを作成させ、作成されたデザインのデータを前記端末から受ける手段と、
前記端末にて商品を注文させ、注文書のデータを前記端末から受ける手段と、
作成されたデザインのデータから印刷用データを作成する手段と、
印刷用データと注文書のデータとを前記装置に送る手段とを備え、
印刷用データと注文書のデータとは、作成されたデザインが印刷された紙製円筒状容器を有する商品を製造して配送するのに利用されることを特徴とする紙製円筒状容器販売サーバ。
【請求項２】
ネットワークを介して顧客の端末と生産工場の装置とに接続されるサーバが実行する方法であって、
前記端末にてデザインを作成させ、作成されたデザインのデータを前記端末から受ける工程と、
前記端末にて商品を注文させ、注文書のデータを前記端末から受ける工程と、
作成されたデザインのデータから印刷用データを作成する工程と、
印刷用データと注文書のデータとを前記装置に送る工程とを含み、
印刷用データと注文書のデータとは、作成されたデザインが印刷された紙製円筒状容器を有する商品を製造して配送するのに利用されることを特徴とする紙製円筒状容器販売方法。
【請求項３】
紙製円筒状容器の自動販売機であって、
写真画像をレイアウトする位置が予め設定されている基本的なデザインを複数パターン保管する手段と、
保管されている基本的なデザインの中から何れかを選択させる手段と、
写真画像を撮影させる手段と、
選択された基本的なデザインの予め設定されている位置に、撮影された写真画像をレイアウトしてデザインを作成する手段と、
作成したデザインを紙製円筒状容器に印刷する手段とを備えることを特徴とする紙製円筒状容器自動販売機。
【請求項４】
紙製円筒状容器の自動販売機が実行する方法であって、
写真画像をレイアウトする位置が予め設定されている基本的なデザインを複数パターン保管する工程と、
保管されている基本的なデザインの中から何れかを選択させる工程と、
写真画像を撮影させる工程と、
選択された基本的なデザインの予め設定されている位置に、撮影された写真画像をレイアウトしてデザインを作成する工程と、
作成したデザインを紙製円筒状容器に印刷する工程とを含むことを特徴とする紙製円筒状容器自動販売方法。
【発明の詳細な説明】
【技術分野】
【０００１】
本発明は紙製円筒状容器を販売する技術に関する。
【背景技術】
【０００２】
本出願人は、紙製円筒状容器の製品を、容器の印刷・成型から充填に至るまで、製造している。
【０００３】
本出願人は、オリジナル製品の販売用として、顧客独自の写真画像を容器のデザインに入れるなどのサービスを行っているが、デザインの作成に時間がかかる、小ロットに対応できないなどの問題がある。
【０００４】
紙製円筒状容器の容器は缶などに比べ小ロット向きであるが、パーソナルユース向けに顧客が作成したデザインを容器に反映するためには、現状ではデザインの取り込みサービスに手間がかかる。
【０００５】
ところで従来から、入稿された原稿からデザイン用素材データを作成する際の進捗状況を顧客に公開し、作成されたデザイン用素材データを顧客に供給するためのシステムが知られている（例えば特許文献１参照）。
【０００６】
また従来から、顧客が過去に商品パッケージに用いたデザインのデータを保管し、このデザインのデータを顧客が検索してダウンロードするためのサーバが知られている（例えば特許文献２参照）。
【０００７】
また従来から、ユーザの端末とネットワークを介して接続され、ユーザ毎に個別のページを動的に作成するサーバが知られている（例えば特許文献３参照）。
【０００８】
また従来から、インターネット等のネットワークを介して商品を注文し配送されるシステムは存在する。
【０００９】
しかしながら今までに、包装容器のデザイン作成を顧客がネットワークを介して行い、商品として届ける小ロットのサービスは実現していない。
【特許文献１】特開２００３−５０８４０号公報
【特許文献２】特開２００４−２７２５０９号公報
【特許文献３】特開２００４−３３４２７４号公報
【発明の開示】
【発明が解決しようとする課題】
【００１０】
本発明は斯かる背景技術に鑑みてなされたもので、顧客が作成したデザインが印刷された紙製円筒状容器を１個からでも販売できるようにすることを課題とする。
【課題を解決するための手段】
【００１１】
本発明において上記課題を達成するために、まず請求項１の発明では、ネットワークを介して顧客の端末と生産工場の装置とに接続されるサーバであって、
前記端末にてデザインを作成させ、作成されたデザインのデータを前記端末から受ける手段と、
前記端末にて商品を注文させ、注文書のデータを前記端末から受ける手段と、
作成されたデザインのデータから印刷用データを作成する手段と、
印刷用データと注文書のデータとを前記装置に送る手段とを備え、
印刷用データと注文書のデータとは、作成されたデザインが印刷された紙製円筒状容器を有する商品を製造して配送するのに利用されることを特徴とする紙製円筒状容器販売サーバとしたものである。
【００１２】
また請求項２の発明では、ネットワークを介して顧客の端末と生産工場の装置とに接続されるサーバが実行する方法であって、
前記端末にてデザインを作成させ、作成されたデザインのデータを前記端末から受ける工程と、
前記端末にて商品を注文させ、注文書のデータを前記端末から受ける工程と、
作成されたデザインのデータから印刷用データを作成する工程と、
印刷用データと注文書のデータとを前記装置に送る工程とを含み、
印刷用データと注文書のデータとは、作成されたデザインが印刷された紙製円筒状容器を有する商品を製造して配送するのに利用されることを特徴とする紙製円筒状容器販売方法としたものである。
【００１３】
また請求項３の発明では、紙製円筒状容器の自動販売機であって、
写真画像をレイアウトする位置が予め設定されている基本的なデザインを複数パターン保管する手段と、
保管されている基本的なデザインの中から何れかを選択させる手段と、
写真画像を撮影させる手段と、
選択された基本的なデザインの予め設定されている位置に、撮影された写真画像をレイアウトしてデザインを作成する手段と、
作成したデザインを紙製円筒状容器に印刷する手段とを備えることを特徴とする紙製円筒状容器自動販売機としたものである。
【００１４】
また請求項４の発明では、紙製円筒状容器の自動販売機が実行する方法であって、
写真画像をレイアウトする位置が予め設定されている基本的なデザインを複数パターン保管する工程と、
保管されている基本的なデザインの中から何れかを選択させる工程と、
写真画像を撮影させる工程と、
選択された基本的なデザインの予め設定されている位置に、撮影された写真画像をレイアウトしてデザインを作成する工程と、
作成したデザインを紙製円筒状容器に印刷する工程とを含むことを特徴とする紙製円筒状容器自動販売方法としたものである。
【発明の効果】
【００１５】
本発明は、顧客が作成したデザインが印刷された紙製円筒状容器を１個からでも販売できるという効果がある。
【発明を実施するための最良の形態】
【００１６】
以下に、本発明について、２つの最良の実施形態を説明する。
【００１７】
＜第１の実施形態＞
第１の実施形態に係るシステムは、図１に示すように、顧客の端末と、サーバと、生産工場の装置とを備え、顧客の端末とサーバとがインターネット等のネットワークを介して
接続され、またサーバと生産工場の装置とがインターネット等のネットワークを介して接続されるものである。
【００１８】
また顧客の端末はＷｅｂブラウザを実行し、サーバはＷｅｂサーバ用ソフトウェアを実行し、顧客の端末とサーバとは主にＨＴＴＰプロトコルでデータ通信を行う。
【００１９】
ここで以下に、図２のフローチャートに従って、第１の実施形態で行われる処理の流れの例を説明する。
【００２０】
まず、サーバーは、デザイン作成ツールとデザインの部材データとを保管して（Ｓ１）、顧客の端末に提供し（Ｓ２）、顧客の端末は、デザイン作成ツールとデザインの部材データとを受取る（Ｓ３）。ここで、デザイン作成ツールは、顧客の端末によって実行されることにより、この端末に、部材をレイアウトしてデザインを作成するための道具（ツール）を提供するソフトウェアである。
【００２１】
顧客は、この顧客の端末のＷｅｂ画面にて、デザイン作成ツールを利用して部材をレイアウトすることで紙製円筒状容器のデザインを作成し（Ｓ４）、このデザインを印刷した紙製円筒状容器を有する商品を注文する（Ｓ５）。すると、この顧客の端末は、出来上がったデザインデータと注文書データとを、サーバへ送信する（Ｓ６）。
【００２２】
サーバは、デザインデータと注文書データとを受信して（Ｓ７）、デザインデータを保管し（Ｓ８）、このデザインデータに基いて印刷用データを作成する（Ｓ９）。またサーバは、注文書データに基いて請求書データを作成する（Ｓ１０）。そしてサーバは、印刷用データと注文書データとを生産工場の装置へ送信し（Ｓ１１）、請求書データを顧客の端末へ送信する（Ｓ１２）。
【００２３】
生産工場の装置は、印刷用データと注文書データとを受信して（Ｓ１３）、印刷用データと注文書データとに基いて商品を製造する（Ｓ１４）。例えば、印刷用データに基いて、顧客が作成したデザインを紙製円筒状容器に印刷し、この容器に、注文書データが示す内容物を充填して紙製円筒状容器を製造する。また例えば、注文書データが贈答用詰め合わせセットの注文を示しているならば、さらに、贈答用の箱に詰め合わせて包装し、この包装に、注文書データが示す配送先の住所氏名等の宛先を付ける。
【００２４】
このようにして、顧客が作成したデザインが印刷された紙製円筒状容器は、注文書データが示す配送先に届けられる。
【００２５】
最後に、生産工場の装置は、製造情報をサーバへ送信し（Ｓ１５）、サーバは、この製造情報を顧客の端末へ転送する（Ｓ１６）。
【００２６】
ところで、デザイン作成ツールによるデザイン作成の方法には、（１）サーバが提供する部材を検索しながら画面上でレイアウトする方法と、（２）サーバが提供する基本パターンをカスタマイズして作成する方法とがある。ここで、基本パターンとは、幾つかの部材を予めレイアウトしたものである。
【００２７】
まず、（１）サーバが提供する部材を検索しながら画面上でレイアウトする方法を説明する。
【００２８】
（１）の方法では、紙製円筒状容器のデザインに必要な部材をアイテム別（内容物表記、下地のデザイン、商品ロゴ、イラスト、画像）に用意し、自由に選択してレイアウトする。
【００２９】
また（１）の方法では、デザインに利用する部材アイテムの内、内容物表記や商品ロゴは紙製円筒状容器の内容物（製品）選択をもって、あらかじめ設定した場所に自動レイアウトする。
【００３０】
また（１）の方法では、デザインの作成に使用する部材は、サーバが提供する以外に顧客がデジカメ撮影した画像を、顧客の端末に取り込んだものも使用しても良い。
【００３１】
また（１）の方法では、デザインの作成は、作図ツール（フリーハンド）を使って自由にデザインしても良い。
【００３２】
次に、（２）サーバが提供する基本パターンをカスタマイズして作成する方法を説明する。
【００３３】
（２）の方法では、基本パターンの検索方法としてイベント名（冠婚葬祭）や季節の行事、飲料のイメージなど入力し、該当する基本パターンリストを表示して適当なものを選択する。
【００３４】
また（２）の方法では、選択した基本パターンに対して部分的に修正を加えて最終のデザインを作成する。
【００３５】
尚、デザインを紙製円筒状容器に印刷する方法には、（１）紙製円筒状容器成型前の用紙にオンデマンド印刷機で印字する方法と、（２）印刷していないブランクの成型済紙製円筒状容器に、印刷したシールを貼る方法と、（３）印刷していないブランクの成型済紙製円筒状容器に、インクジェット機で印字する方法と、（４）印刷していないブランクの成型済紙製円筒状容器に、印刷したシュリンクフィルムを巻く方法等とがある。
【００３６】
＜第２の実施形態＞
第２の実施形態は、図３に示すように、紙製円筒状容器の自動販売機であって、デジタルカメラと、デザイン作成機能と、印刷機能とを有する。
【００３７】
デザイン作成機能には、あらかじめ基本的なデザインが複数パターン保管されて用意されている。
【００３８】
基本的なデザインには、デジタルカメラで撮影された写真画像をレイアウトする位置が予め設定されている。
【００３９】
基本的なデザインが選択され、デジタルカメラで写真画像が撮影されると、撮影された写真画像を、基本的なデザインの予め設定された位置にレイアウトする。
【００４０】
また基本的なデザインには予め内容物の成分表や商品ロゴが配置され、注文された商品の中身（内容物）に合わせて成分表と商品ロゴが入れ替わる。
【００４１】
ここで以下に、図４のフローチャートに従って、第２の実施形態で行われる処理の流れの例を説明する。
【００４２】
顧客は、自動販売機にて、金銭を投入し（Ｓ１）、基本的なデザインを選択し（Ｓ２）、商品を注文する（Ｓ３）。
【００４３】
自動販売機のデジタル作成機能は、選択された基本的なデザインの内容物の成分表や商
品ロゴを、注文された商品の中身に合わせて入れ替える（Ｓ４）。
【００４４】
顧客は、自動販売機にて、デジタルカメラで写真画像を撮影する（Ｓ５）。
【００４５】
自動販売機のデジタル作成機能は、デジタルカメラで撮影された写真画像を取り込み（Ｓ６）、この写真画像を、選択された基本的なデザインであって注文された商品の中身に合わせて内容物の成分表や商品ロゴを入れ替えたものの予め設定された位置にレイアウトすることによりデザインを作成する（Ｓ７）。
【００４６】
自動販売機の印刷機能は、作成したデザインを、注文された商品の中身が充填済みの紙製円筒状容器に印刷して注文された商品を製造する（Ｓ８）。
【００４７】
最後に、自動販売機は、注文された商品を取り出し口に出力する（Ｓ９）。
【００４８】
尚、デザインを紙製円筒状容器に印刷する方法には、（１）印刷していない紙製円筒状容器に、印刷したシールを貼る方法と、（２）印刷していない紙製円筒状容器に、インクジェット機で印字する方法と、（３）印刷していない紙製円筒状容器に、印刷したシュリンクフィルムを巻く方法等とがある。
【図面の簡単な説明】
【００４９】
【図１】第１の実施形態に係るシステムの構成例を示す図。
【図２】第１の実施形態で行われる処理の流れの例を示すフローチャート。
【図３】第２の実施形態に係る自動販売機の構成例を示す図。
【図４】第２の実施形態で行われる処理の流れの例を示すフローチャート。
【図１】
2008234417.tif 000003
【図２】
2008234417.tif 000004
【図３】
2008234417.tif 000005
【図４】
2008234417.tif 000006